(57)【特許請求の範囲】
【請求項１】
放送信号を受信する２つの受信手段と、
上記受信手段毎に受信する放送信号の受信チャンネルを切り替える選局手段と、
一方の受信手段について上記選局手段で受信チャンネルを順々に切り替えながら、チャンネル毎に番組が放送されているかどうかを検出し、番組が放送されているチャンネルをチャンネルマップに登録するオートスキャン手段と、
他方の受信手段で受信している放送信号を出力する出力手段と、
上記オートスキャン手段の実行時には、上記出力手段から出力する映像信号に他方の受信手段の受信チャンネルを示す映像を付加するチャンネル映像付加手段と、を備え、
上記選局手段は、上記オートスキャン手段の実行時には、所定時間毎に、上記他方の受信手段の受信チャンネルを上記チャンネルマップに登録されたチャンネルに順々に切り替え、
さらに、上記オートスキャン手段の実行時には、上記出力手段から出力する映像信号に他方の受信手段の受信チャンネルを示す映像を付加するチャンネル映像付加手段を備えた受信装置、
【請求項２】
放送信号を受信する２つの受信手段と、
上記受信手段毎に受信する放送信号の受信チャンネルを切り替える選局手段と、
一方の受信手段について上記選局手段で受信チャンネルを順々に切り替えながら、チャンネル毎に番組が放送されているかどうかを検出し、番組が放送されているチャンネルをチャンネルマップに登録するオートスキャン手段と、
他方の受信手段で受信している放送信号を出力する出力手段と、を備え、
上記選局手段は、上記オートスキャン手段の実行時には、所定時間毎に、上記他方の受信手段の受信チャンネルを上記チャンネルマップに登録されたチャンネルに順々に切り替える受信装置、
【発明の詳細な説明】
【発明の属する技術分野】
この発明は、テレビジョン放送を受信する受信装置に関する。
【０００１】
【従来の技術】
従来より、テレビジョン放送（以下、単にテレビ放送と言う。）を受信する受信装置が一般に普及している。周知のように、テレビ放送においては、番組を放送する放送局毎に使用する搬送波の周波数が決められている。ユーザは、受信装置の受信チャンネルを選択することで、視聴する番組を選択する。
【０００２】
また、一般的な受信装置にはユーザが視聴する番組の選択が容易に行えるように、受信チャンネルを順々に上げていくチャンネルアップキーや、下げていくチャンネルダウンキーが設けられている。
【０００３】
最近、テレビ放送を行う放送局が増加傾向にある（チャンネル数が増加している）。一方、受信装置で受信可能なチャンネルであっても、番組が放送されていないチャンネルもある。上記チャンネルアップキーやチャンネルダウンキーを操作して受信チャンネルを切り替えるときに、番組が放送されていないチャンネルまで選局されると、ユーザの選局操作が煩雑になる。そこで、最近の受信装置には、番組が放送されていないチャンネルの選択を規制する機能が設けられている。
【０００４】
この機能は、事前に受信チャンネルを順々に切り替えながら、チャンネル毎に番組の放送が行われているかどうか（放送信号の有無）を検出し、番組が放送されているチャンネルのみ登録したチャンネルマップを作成しておき、ユーザによる番組の選局時にはこのチャンネルマップに登録されていないチャンネルの選局を禁止する機能である。
【０００５】
ところで、最近のチャンネル数の増加にともない、上記チャンネルマップを作成する処理、所謂オートスキャン、にかかる時間が長くなっている。従来の受信装置は、受信部（チューナ）が１つであったため、オートスキャンの実行中にユーザが番組を視聴することができなくなる。そこで、受信部を２つ設け、オートスキャンの実行中であっても番組が視聴できるようにした受信装置が提案された（特開平９−３２１５８０号）。
【０００６】
【発明が解決しようとする課題】
しかしながら、上記オートスキャンを実行しても、番組が放送されていないチャンネルが選局されなくなるだけで、チャンネル毎にどのような番組が放送されているのかを知ることができなかった。したがって、ユーザはオートスキャンの完了後に、受信チャンネルを切り替えながら、チャンネル毎にどのような番組が放送されているのかを確認しなければならず、この確認に手間がかかり、操作性が良くないという問題があった。
【０００７】
この発明の目的は、番組が放送されているチャンネルをチャンネルマップに登録するオートスキャンの実行中に、各チャンネルで放送されている番組の内容が確認できるようにすることで、操作性を向上させた受信装置を提供することにある。
【０００８】
【課題を解決するための手段】
この発明の受信装置は、上記課題を解決するために、以下の構成を備えている。
【００１８】
（１）放送信号を受信する２つの受信手段と、
上記受信手段毎に受信する放送信号の受信チャンネルを切り替える選局手段と、
一方の受信手段について上記選局手段で受信チャンネルを順々に切り替えながら、チャンネル毎に番組が放送されているかどうかを検出し、番組が放送されているチャンネルをチャンネルマップに登録するオートスキャン手段と、
他方の受信手段で受信している放送信号を出力する出力手段と、を備え、
上記選局手段は、上記オートスキャン手段の実行時には、所定時間毎に、上記他方の受信手段の受信チャンネルを上記チャンネルマップに登録されたチャンネルに順々に切り替える。
【００２１】
（２）上記オートスキャン手段の実行時には、上記出力手段から出力する映像信号に他方の受信手段の受信チャンネルを示す映像を付加するチャンネル映像付加手段を備えている。
【００２２】
この構成では、一方の受信手段を用いて番組が放送されているチャンネルをチャンネルマップに登録するオートスキャン手段を実行する。このオートスキャン手段の実行時には、所定時間毎に他方の受信手段の受信チャンネルは、このオートスキャン手段により番組が放送されていることが検出され、チャンネルマップに登録されたチャンネルに順々に切り替えられる。出力手段は他方の受信手段が受信した番組（放送信号）を出力する。
【００２３】
したがって、オートスキャン手段の実行中において、各チャンネルで放送されている番組をユーザに視聴させて、該番組の内容を確認させることができる。
【００２５】
また、出力手段から出力する映像信号に受信チャンネルを示す映像を付加すれば、番組の内容と受信チャンネルを関連づけてユーザに認識させることができる。
【００２６】
【発明の実施の形態】
図１は、この発明の実施形態である受信装置の構成を示すブロック図である。この実施形態の受信装置１は、ＡＴＳＣ（Ａｄｖａｎｃｅｄ  Ｔｅｌｅｖｉｓｉｏｎ  Ｓｔａｎｄａｒｄｓ  Ｃｏｍｍｉｔｅｅ）方式等によるディジタル放送の受信装置である。受信装置１は、本体の動作を制御する制御部２と、放送局が放送している放送信号（番組）を受信する受信部３と、受信部３で受信した番組を出力する出力部４と、後述するチャンネルマップや映像信号等を記憶する記憶部５と、入力操作を行う操作部６と、を備えている。
【００２７】
受信部３には放送信号を受信するためのアンテナ１０が接続されている。受信部３は、アンテナ１０で受信した放送信号から選択されているチャンネル（受信チャンネル）の放送信号を取り出し、取り出した放送信号を映像信号および音声信号に復号する。
【００２８】
出力部４には、映像および音声を出力する機能を有する表示装置１１が接続される。出力部４は、受信部３で復号された映像信号および音声信号を出力する。表示装置１１は、この映像信号に基づく映像を表示するとともに、音声信号に基づく音声を出力する。
【００２９】
操作部６には、受信チャンネルを切り替るチャンネルキーや、後述するオートスキャンの実行を指示するキー等、複数のキーが設けられている。また、操作部６には、リモコン装置（不図示）から赤外線や電波で送信されてきた制御コードを受信するリモコン受信部等が設けられている。
【００３０】
記憶部５には、受信部３で受信できる全チャンネルの中で、番組が放送されているチャンネルのみ登録したチャンネルマップ２０が記憶されている（図２参照）図２は、チャンネル１、２、４、６、８、１０において番組が放送されており、チャンネル３、５、７、９において番組が放送されていないときの例である。
【００３１】
なお、この実施形態の受信装置１は、通常時、チャンネルマップ２０に登録されていないチャンネル、すなわち番組が放送されていないチャンネル、が選局されない。
【００３２】
次に、この実施形態の受信装置１の特徴であるオートスキャン時の動作について説明する。オートスキャンは、上述のチャンネルマップ２０を作成／更新する処理である。受信装置１は、操作部６において所定のキー操作がなされたとき、またはリモコンから所定の制御コードが送信されてきたときに以下に示すオートスキャンを実行する。
【００３３】
図３は、この実施形態の受信装置のオートスキャン時の動作を示すフローチャートである。受信装置１は、受信部３における受信チャンネル（Ｎ）を初期値である１チャンネルに設定し（ｓ１）、チャンネルマップ２０をクリアする（ｓ２）。
【００３４】
受信装置１は、この受信チャンネルにおいて番組が放送されているかどうかを判定する（ｓ３）。番組が放送されているかどうかは、このチャンネルに放送信号が存在しているかどうかにより判定される。番組が放送されていなければ後述するｓ６にジャンプする。一方、番組が放送されていれば、このチャンネルをチャンネルマップ２０に登録する（ｓ４）。
【００３５】
また、受信装置１はこのチャンネルで放送されている番組について１画面分の映像信号を抽出し、記憶部５に設けられた画像メモリに記憶する（ｓ５）。
【００３６】
受信装置１は、受信部３における受信チャンネルが受信可能な最大チャンネル（Ｎｍａｘ）であるかどうかを判定し（ｓ６）、最大チャンネルでなければ、受信部３における受信チャンネルをインクリメントし（Ｎ＝Ｎ＋１）（ｓ７）、ｓ３に戻って上記処理を繰り返す。
【００３７】
一方、ｓ６で受信部３における受信チャンネルが受信可能な最大チャンネル（Ｎｍａｘ）であると判定すると、オートスキャンを終了する。
【００３８】
上記オートスキャンの実行により、番組が放送されているチャンネルのみ登録したチャンネルマップ２０が作成される。このチャンネルマップ２０は、周知のように通常時のチャンネル選局において、番組が放送されていないチャンネルが選局されるのを禁止するために用いる情報である。
【００３９】
また、この実施形態の受信装置１は、上記オートスキャンの実行時に図４に示す映像出力処理を実行している。この映像出力処理は、上述のオートスキャンでｓ５で記憶部５に設けた画像メモリに記憶させた１画面分の映像信号を出力部４から出力する処理であり、出力部４に接続された表示装置１１に１画面分の映像信号に基づく映像を表示させる。
【００４０】
この実施形態の受信装置１の記憶部５には、１画面分の映像信号を記憶する画像メモリが２つ設けられている。受信装置１は、上記ｓ５で１画面分の映像信号を抽出する毎に、記憶させる画像メモリを変更し、２つの画像メモリに対して交互に映像信号を記憶させる。
【００４１】
受信装置１は、上記オートスキャンを開始すると、上記ｓ５で記憶部５の一方の画像メモリに１画面分の映像信号が記憶されるのを待つ（ｓ１１）。一方の画像メモリに１画面分の映像信号が記憶されると、この映像信号に受信したチャンネルを示す映像を合成した合成画像を作成する（ｓ１２）。ｓ１２では、ｓ５で記憶部５の一方の画像メモリに記憶させた映像信号が図５（Ａ）に示す映像であると、この映像の受信チャンネルを示す映像を付加した合成画像（図５（Ｂ）に示す画像）を作成する。
【００４２】
この後、受信装置１は出力部４からｓ１２で作成された合成画像を出力し（ｓ１３）、ｓ１１に戻る。そして、ｓ１１で今度は他方の画像メモリに１画面分の映像信号が記憶されるのを待って、ｓ１２以降の処理を繰り返す。
【００４３】
このように、出力部４に接続した表示装置１１において、オートスキャンで番組が放送されていることを検出したチャンネルで放送されている番組の１画面がチャンネルを示す映像とともに（図５（Ｂ）に示す映像）表示される。
【００４４】
なお、表示装置１１において表示される映像は静止画である。
【００４５】
したがって、オートスキャンの実行時に、各チャンネルで放送されている番組をユーザに確認させることができる。
【００４６】
なお、この実施形態では表示装置１１の表示画面は、上記オートスキャンで番組を放送しているチャンネルが検出され、一方または他方の画像メモリに１画面分の映像信号が記憶される毎に変化する。
【００４７】
また、図３に示したオートスキャンが終了すると、この映像出力処理も終了する。
【００４８】
上記図４に示した映像出力処理では、一方または他方の画像メモリに１画面分の映像信号が記憶される毎に表示装置１１の表示画面を変化させる（出力部４から出力する映像信号を変化させる）例であったが、表示装置１１において所定時間表示すると表示画面を変化させてもよい（図６参照）。
【００４９】
図６に示すｓ２１、ｓ２２はそれぞれ図４に示したｓ１２、ｓ１３と同じ処理である。ｓ２２で合成画像の出力を開始すると所定時間経過するのを待ち（ｓ２３）、ｓ２１に戻る。
【００５０】
この場合、オートスキャンで番組が放送されているチャンネルが検出された後、次に番組が放送されているチャンネルが検出されるまでの間隔が短くても、番組が放送されていることを検出したチャンネルで放送されている番組の１画面分の映像が所定時間表示される。したがって、ユーザが見落とすことがない。但し、記憶部５には１画面分の映像信号を記憶するための画像メモリを若干増やす必要がある。
【００５１】
次に、この発明の別の実施形態について説明する。図７は、この実施形態の受信装置の構成を示すブロック図である。上記実施形態と異なる点は２つの受信部（第１の受信部３−１、第２の受信部３−２）を備えている点である。図７では、図１と同じ構成については同じ符号を付している。
【００５２】
この実施形態の２つの受信部（第１の受信部３−１、第２の受信部３−２）は、上記実施形態の受信部３と同じである。第１の受信部３−１はオートスキャン処理に用いる構成であり、第２の受信部３−２は出力部４から出力する番組の受信に用いる構成である。
【００５３】
図８は、この実施形態の受信装置１におけるオートスキャンを示すフローチャートである。受信装置１は、第１の受信部３−１の受信チャンネル（Ｎ）を初期値である１チャンネルに設定し（ｓ３１）、チャンネルマップ２０をクリアする（ｓ３２）。
【００５４】
受信装置１は、この受信チャンネルにおいて番組が放送されているかどうかを判定する（ｓ３３）。番組が放送されていなければ後述するｓ３５にジャンプする。一方、番組が放送されていれば、このチャンネルをチャンネルマップ２０に登録する（ｓ３４）。
【００５５】
受信装置１は、第１の受信部３−１における受信チャンネルが受信可能な最大チャンネル（Ｎｍａｘ）であるかどうかを判定し（ｓ３５）、最大チャンネルでなければ、第１の受信部３−１における受信チャンネルをインクリメントし（Ｎ＝Ｎ＋１）（ｓ３６）、ｓ３３に戻って上記処理を繰り返す。
【００５６】
ｓ３５で最大チャンネルであると判定すると、オートスキャンを終了する。
【００５７】
上記実施形態の受信装置と同様に、上記オートスキャンを実行することで、チャンネルマップ２０が作成される。
【００５８】
この実施形態の受信装置１は、上記オートスキャンの実行時に図９に示す映像出力処理を実行している。受信装置１は、上記ｓ３４でチャンネルマップ２０に番組が放送されているチャンネルが登録されるのを待って（ｓ４１）、第２の受信部３−２の受信チャンネルをｓ３４でチャンネルマップ２０に登録したチャンネルに設定する（ｓ４２）。
【００５９】
これにより、第２の受信部３−２がｓ３４でチャンネルマップ２０に登録したチャンネルで放送されている番組の受信を開始する。この実施形態の受信装置１は、第２の受信部３−２で受信している番組の映像信号および音声信号を出力部４から出力する。
【００６０】
さらに、受信装置１は、出力部４から出力している映像信号に第２の受信部３−２の受信チャンネルを示す映像を付加する（ｓ４３）。
【００６１】
これにより、出力部４に接続した表示装置１１においてオートスキャンで番組が放送されていることを検出したチャンネルで放送されている番組が、チャンネルを示す映像とともに表示される。したがって、オートスキャンの実行時に、各チャンネルで放送されている番組をユーザに確認させることができる。
【００６２】
また、第２の受信部３−２はオートスキャンに使用されないことから、受信している番組をそのまま表示装置１１に表示させることができる。また、表示装置で映像だけでなく、音声を出力することができる。
【００６３】
なお、この実施形態では表示装置１１で表示されている番組は、上記オートスキャンで番組を放送しているチャンネルが検出される毎に変化する。
【００６４】
また、図８に示したオートスキャンが終了すると、この映像出力処理も終了する。
【００６５】
また、上記図９に示した映像出力処理を図１０に示す処理に置き換え、表示装置１１において番組を所定時間表示するようにしてもよい。
【００６６】
図１０に示すｓ５１、ｓ５２はそれぞれ図４に示したｓ４２、ｓ４３と同じ処理である。ｓ５２で所定時間経過するのを待ち（ｓ５３）、ｓ５１に戻って、第２の受信部３−２の受信チャンネルを切り替える。
【００６７】
この場合、オートスキャンで番組が放送されているチャンネルが検出された後、次に番組が放送されているチャンネルが検出されるまでの間隔が短くても、番組が放送されていることを検出したチャンネルで放送されている番組が所定時間表示される。したがって、ユーザが見落とすことがない。
【００６８】
【発明の効果】
以上のように、この発明によれば、番組が放送されているチャンネルをチャンネルマップに登録するオートスキャンの実行時に、各チャンネルで放送されている番組の内容が確認できる。したがって、オートスキャン完了後における、ユーザの手間を削減することができ、操作性が向上される。
【図面の簡単な説明】
【図１】この発明の実施形態である受信装置の構成を示すブロック図である。
【図２】チャンネルマップを示す図である。
【図３】この発明の実施形態である受信装置のオートスキャンを示すフローチャートである。
【図４】この発明の実施形態である受信装置の映像出力処理を示すフローチャートである。
【図５】オートスキャン時に出力部から出力される映像を示す図である。
【図６】この発明の実施形態である受信装置の映像出力処理を示すフローチャートである。
【図７】この発明の別の実施形態である受信装置の構成を示すブロック図である。
【図８】この発明の別の実施形態である受信装置のオートスキャンを示すフローチャートである。
【図９】この発明の別の実施形態である受信装置の映像出力処理を示すフローチャートである。
【図１０】この発明の別の実施形態である受信装置の映像出力処理を示すフローチャートである。
【符号の説明】
１−受信装置
２−制御部
３−受信部
３−１−第１の受信部
３−２−第２の受信部
４−出力部
５−記憶部
６−操作部
１０−アンテナ
１１−表示装置
【図１】
0003575020.tif 000002
【図２】
0003575020.tif 000003
【図３】
0003575020.tif 000004
【図４】
0003575020.tif 000005
【図５】
0003575020.tif 000006
【図６】
0003575020.tif 000007
【図７】
0003575020.tif 000008
【図８】
0003575020.tif 000009
【図９】
0003575020.tif 000010
【図１０】
0003575020.tif 000011